(57)【要約】【課題】煮こぼれカバーの下面を伝って電気機器に煮汁が掛かることを抑えることのできる加熱調理器を提案する。【解決手段】加熱調理器の本体ケース内に、電気機器を覆う煮こぼれカバー５を収納する。煮こぼれカバー５は、電気機器の上方を覆う主体板５１と、主体板５１から延長された延長板５２を有する。延長板５２の下面５２ｂに形成された凹溝部６が、延長板５２の周縁から浸入した煮汁が主体板５１の下面５１ｂにまで伝うことを抑えるように機能する。【選択図】図８
2018105546.tif 000002
【特許請求の範囲】
【請求項１】
上面に開口を有する本体ケースと、
前記開口を覆う天板と、
上方に露出するように前記天板に配置されたバーナーヘッドを有するバーナーと、
前記バーナーでの燃焼を制御するために前記本体ケースに収納された電気機器と、
前記本体ケースに収納された煮こぼれカバーを備え、
前記煮こぼれカバーは、
前記電気機器の上方を覆う主体板と、平面視において前記主体板から第一方向に延長された延長板とを有し、
前記延長板の下面には、前記延長板の周縁から浸入した煮汁が前記主体板の下面にまで伝うことを抑える凹溝部が形成されている
ことを特徴とする加熱調理器。
【請求項２】
前記凹溝部は、
前記延長板の下面において、前記第一方向と直交する第二方向の端縁にまで至るように形成されている
ことを特徴とする請求項１に記載の加熱調理器。
【請求項３】
前記凹溝部は、
前記第一方向と直交する第二方向の端縁にまで至るように形成された第一溝と、
前記第二方向の前記端縁とは反対側の端縁にまで至るように形成された第二溝を含む
ことを特徴とする請求項１に記載の加熱調理器。
【請求項４】
前記第一溝と前記第二溝は、前記第一方向に沿って前記主体板に近づくほど互いの距離が遠くなるように形成されている
ことを特徴とする請求項３に記載の加熱調理器。
【請求項５】
前記凹溝部は、ビード加工により形成されている
ことを特徴とする請求項１〜４のいずれか一項に記載の加熱調理器。
【請求項６】
前記煮こぼれカバーは、
前記延長板の周縁から延長された周壁部をさらに有する
ことを特徴とする請求項１〜５のいずれか一項に記載の加熱調理器。
【請求項７】
前記延長板の下方の領域を通じて配管され、前記バーナーに対して燃焼ガスを供給するように構成されたガス管を、さらに備える
ことを特徴とする請求項１〜６のいずれか一項に記載の加熱調理器。
【請求項８】
前記延長板の下方の領域は、前記電気機器に電気接続されるハーネスの配線空間の一部を構成している
ことを特徴とする請求項１〜７のいずれか一項に記載の加熱調理器。
【発明の詳細な説明】
【技術分野】
【０００１】
本発明は、天板にバーナーヘッドが設置された加熱調理器に関する。
【背景技術】
【０００２】
天板にバーナーヘッドが設置された加熱調理器において、天板の下方に収納された電気機器に煮こぼれが掛かることを抑えるために、煮こぼれカバーで電気機器を覆うことが特許文献１等に記載されている。
【先行技術文献】
【特許文献】
【０００３】
【特許文献１】特開２０１５−１３７８０８号公報
【発明の概要】
【発明が解決しようとする課題】
【０００４】
上記した従来の加熱調理器では、煮こぼれカバーの下面を伝って煮汁が流れることに対しては、特に対策が採られていなかった。
【０００５】
本発明は、煮こぼれカバーの下面を伝って電気機器に煮汁が掛かることを抑えることができる加熱調理器を提供することを、目的とする。
【課題を解決するための手段】
【０００６】
本発明の一様態に係る加熱調理器は、上面に開口を有する本体ケースと、前記開口を覆う天板と、上方に露出するように前記天板に配置されたバーナーヘッドを有するバーナーと、前記バーナーでの燃焼を制御するために前記本体ケースに収納された電気機器と、前記本体ケースに収納された煮こぼれカバーを備える。
【０００７】
前記煮こぼれカバーは、前記電気機器の上方を覆う主体板と、平面視において前記主体板から第一方向に延長された延長板とを有する。前記延長板の下面には、前記延長板の周縁から浸入した煮汁が前記主体板の下面にまで伝うことを抑える凹溝部が形成されている。
【発明の効果】
【０００８】
本発明は、煮こぼれカバーの下面を伝って電気機器に煮汁が掛かることを抑えることができるという効果を奏する。
【図面の簡単な説明】
【０００９】
【図１】図１は、一実施形態の加熱調理器が設置されたカウンターの斜視図である。
【図２】図２は、同上の加熱調理器の斜視図である。
【図３】図３は、同上の加熱調理器の本体ケース内に収納される主要機器を示す斜視図である。
【図４】図４は、図３からバーナーとバーナー台を外した状態の斜視図である。
【図５】図５は、図４から煮こぼれカバーを分解した状態の分解斜視図である。
【図６】図６は、図３からバーナーとバーナー台を外した状態の平面図である。
【図７】図７は、同上の煮こぼれカバーを斜め上方から視た斜視図である。
【図８】図８は、同上の煮こぼれカバーを斜め下方から視た斜視図である。
【図９】図９は、同上の煮こぼれカバーの下面図である。
【図１０】図１０は、煮こぼれカバーの変形例の下面図である。
【発明を実施するための形態】
【００１０】
（一実施形態）
添付図面に基づいて、一実施形態の加熱調理器について説明する。
【００１１】
図１に示すように、一実施形態の加熱調理器は、キッチン等に設置されるカウンター９に対して、上方からの挿入によって取り付けられる所謂ドロップインタイプの加熱調理器であるが、これに限定されず、他のタイプで構成されてもよい。
【００１２】
一実施形態の加熱調理器は、上面に開口１０を有する本体ケース１（図３等参照）と、開口１０を覆うように本体ケース１に固定される天板２（図２等参照）と、複数（三つ）のバーナー３を備える。
【００１３】
本体ケース１は、平面視矩形状の外形を有する。本体ケース１の長手方向が第一方向Ｄ１であり、本体ケース１の短手方向が第二方向Ｄ２である。第一方向Ｄ１と第二方向Ｄ２は、平面視において互いに直交する。
【００１４】
各バーナー３は、燃焼が行われるバーナーヘッド３１と、バーナーヘッド３１に燃焼ガスを送り込むように構成されたバーナーボディー３２（図３参照）を有する。天板２に形成された貫通孔２０を通じて、各バーナー３のバーナーヘッド３１が上方に露出する。
【００１５】
図３に示すように、本体ケース１内にはバーナー台７１が水平姿勢で固定され、バーナー台７１の上面に各バーナー３が設置されている。一実施形態の加熱調理器では、大小二つのバーナー台７１が固定され、大きい側のバーナー台７１に二つのバーナー３が設置され、小さい側のバーナー台７１に一つのバーナー３が設置されているが、バーナー台７１とバーナー３の数と配置はこれに限定されない。図３では、三つのバーナー３のうち両端のバーナー３を省略し、中央のバーナー３だけを示している。
【００１６】
図４〜図６に示すように、バーナー台７１の下方には、各バーナー３の点火を制御するため設置された電気回路等の電気機器４と、各バーナー３に燃焼ガスを送り込むために設置されたガス管７５と、これらを覆うように構成された煮こぼれカバー５が収納されている。
【００１７】
電気機器４は、本体ケース１の底壁１１に設置された収納ボックス７３内に、収納されている。収納ボックス７３は、本体ケース１のうち第一方向Ｄ１の一方（図中の右側）の半部に固定されている。
【００１８】
収納ボックス７３は、平面視矩形状の底壁７３１と、底壁７３１の第二方向Ｄ２の一端縁から上方に起立した側壁７３２と、底壁７３１の第二方向Ｄ２の他端縁から上方に起立した側壁７３３と、底壁７３１の第一方向Ｄ１の一端縁から起立した側壁７３４を備える。三つの側壁７３２，７３３，７３４は平面視コ字状に繋がっている。
【００１９】
したがって収納ボックス７３は、上方にむけて開口し、かつ、第一方向Ｄ１において側壁７３４が位置する側と反対側（図中の左側）にむけて開口している。言い換えれば、収納ボックス７３は、上方にむけて開口する開口部７３８と、本体ケース１のうち収納ボックス７３が設置されていない側の半部にむけて開口する開口部７３９を有する（図５参照）。
【００２０】
電気機器４に対して電気的に接続される図示略のハーネスは、収納ボックス７３の開口部７３９を通じて、第一方向Ｄ１に沿って収納ボックス７３外に引き出される。
【００２１】
ガス管７５は、収納ボックス７３の第一方向Ｄ１の中央部分に位置し、収納ボックス７３（収納ボックス７３の開口部７３９）に対して第一方向Ｄ１に隣接して位置する。
【００２２】
煮こぼれカバー５は、収納ボックス７３の開口部７３８を塞ぐように、収納ボックス７３にネジ固定される。収納ボックス７３の第二方向Ｄ２の両側壁７３２，７３３は、それぞれが上端に水平なフランジ７３２５，７３３５を有し、フランジ７３２５，７３３５に対して、煮こぼれカバー５が有する一対のフランジ５４１，５４２がそれぞれネジ固定される。
【００２３】
図７〜図９にも示すように、煮こぼれカバー５は、平坦な主体板５１と、主体板５１から第一方向Ｄ１に沿って面一に連続する平坦な延長板５２と、主体板５１の周縁から上下方向に延長された周壁部５３と、周壁部５３の端縁からさらに水平方向に延長された一対のフランジ５４１，５４２と、延長板５２の周縁から上下方向に延長された周壁部５５を有する。
【００２４】
主体板５１は、煮こぼれカバー５が収納ボックス７３に固定された状態において、電気機器４の上方を覆うように構成されている。なお、図６と図９では、主体板５１と延長板５２の境界を鎖線で示している。
【００２５】
以下、煮こぼれカバー５の各構成についてさらに詳述する。
【００２６】
煮こぼれカバー５の主体板５１と延長板５２は、主体板５１よりも延長板５２が高く位置するように、その全体が第一方向Ｄ１に沿って僅かに（たとえば１〜３°程度）傾斜している。主体板５１の上面５１ａと延長板５２の上面５２ａは、一つの傾斜面のように面一に構成されており、主体板５１の上面５１ａよりも延長板５２の上面５２ａが上方に位置している。主体板５１の上面５１ａと延長板５２の上面５２ａの互いの傾斜角度は同一であるが、互いの傾斜角度が相違するように構成することも可能である。
【００２７】
同様に、主体板５１の下面５１ｂと延長板５２の下面５２ｂは、一つの傾斜面のように面一に構成されており（図８参照）、主体板５１の下面５１ｂよりも延長板５２の下面５２ｂが上方に位置している。主体板５１の下面５１ｂと延長板５２の下面５２ｂの互いの傾斜角度は同一であるが、互いの傾斜角度が相違するように構成することも可能である。
【００２８】
主体板５１は、第一方向Ｄ１に沿って傾斜した平坦な金属板で構成され、第一方向Ｄ１の一端縁５１３と、第二方向Ｄ２の両側の端縁５１５を有する。
【００２９】
主体板５１の一端縁５１３からは、周壁部５３の一部分を構成する側壁５３１が、上方に延長されている。両側の端縁５１５からは、周壁部５３の別部分を構成する一対の側壁５３２，５３３が、それぞれ下方に延長されている。一対のフランジ５４１，５４２は、一対の側壁５３２，５３３の各下端縁から、第二方向Ｄ２に沿って互いに離れる方向に延長されている。
【００３０】
延長板５２は、主体板５１と同様に、第一方向Ｄ１に沿って傾斜した平坦な金属板で構成され、第一方向Ｄ１の一端縁５２３と、第二方向Ｄ２の両側の端縁５２５を有する。両側の端縁５２５は、一直線状の第一端縁５２５１と、第一端縁５２５１とは反対側に位置する第二端縁５２５２とで構成されている。
【００３１】
延長板５２の一端縁５２３からは、周壁部５５の一部分を構成する側壁５５１が、延長板５２に対してＬ字状に折れ曲がるように上方に延長されている。第一端縁５２５１からは、周壁部５５の別部分を構成する側壁５５２が、Ｌ字状に折れ曲がるように下方に延長されている。下方に延長された側壁５５２は、主体板５１の側壁５３２に対して第一方向Ｄ１に連続している。
【００３２】
第二端縁５２５２からは、周壁部５５のさらに別部分を構成する側壁５５３が延長されている。側壁５５３は、Ｌ字状に折れ曲がるように上方に延長された部分５５３１（図８参照）と、Ｌ字状に折れ曲がるように下方に延長された部分５５３２（図９参照）で構成されている。側壁５５３の上方に延長された部分５５３１と下方に延長された部分５５３２の間には、第一方向Ｄ１に僅かな隙間があいている。
【００３３】
下方に延長された部分５５３２は、主体板５１の側壁５３３に対して第一方向Ｄ１に連続している。言い換えれば、煮こぼれカバー５が有する側壁５０１の第一方向Ｄ１の一端部が、延長板５２から延長される側壁５５３の一部分５５３２を構成し、側壁５０１の他の部分が、主体板５１から延長される側壁５３３を構成している。
【００３４】
延長板５２には、下面５２ｂ側からビード加工が施されている。このビード加工によって、延長板５２の下面５２ｂに凹溝部６（図８、図９参照）が形成され、延長板５２の上面５２ａには凸条部８（図７等参照）が形成されている。凹溝部６と凸条部８は、延長板５２において裏表の関係にある。
【００３５】
煮汁が下面５２ｂを伝うとき、その煮汁が凹溝部６を超えて伝うことは非常に困難である。したがって、下面５２ｂに設けられた凹溝部６は、延長板５２の周縁から下面５２ｂに煮汁が浸入したときに、その煮汁が主体板５１の下面５１ｂにまで伝うことを抑えるように機能する。
【００３６】
凹溝部６は、第二方向Ｄ２において互いに距離を隔てて位置する第一溝６１と第二溝６２を含む。凸条部８は、第一溝６１に対して裏表の関係にある第一凸条８１と、第二溝６２に対して裏表の関係にある第二凸条８２を含む。
【００３７】
第一溝６１と第二溝６２は、第一方向Ｄ１に沿って主体板５１の下面５１ｂに近づくほど互いの距離が離れるように、全体としてハ字状に形成されている。同様に、第一凸条８１と第二凸条８２は、第一方向Ｄ１に沿って主体板５１の上面５１ａに近づくほど互いの距離が離れるように、全体としてハ字状に形成されている。
【００３８】
第一溝６１について、さらに説明する。
【００３９】
第一溝６１は、延長板５２の第一方向Ｄ１の端縁５２３に近接する始点Ｐ１から、延長板５２の第二方向Ｄ２の第一端縁５２５１に至るまで、連続する一本の線状に形成されている。さらに一実施形態の加熱調理器では、第一溝６１が、第一端縁５２５１を通過して側壁５５２に至るまで、連続して形成されている。
【００４０】
つまり、第一溝６１は、始点Ｐ１から第一端縁５２５１にまで伸びるように形成された溝部分６１１と、第一端縁５２５１から下方に伸びるように側壁５５２に形成された溝部分６１２を、一連に有する（図８等参照）。
【００４１】
溝部分６１１は、第一方向Ｄ１に沿って主体板５１に近づくほど（下側の位置ほど）第一端縁５２５１に近くなる傾きを有する一直線状の部分６１１３と、この部分６１１３の主体板５１に近い端部から第二方向Ｄ２に沿って第一端縁５２５１に向けて伸びる一直線状の部分６１１５を有する（図９参照）。各部分６１１３，６１１５は一直線状であることが必須ではなく、複数の直線が連続する形状、曲線状、直線と曲線が連続する形状等の、多様な形状を採用することが可能である。
【００４２】
第一溝６１の始点Ｐ１は、延長板５２の第一方向Ｄ１の端縁５２３上に設定されてもよい。この場合、第一溝６１は、延長板５２の端縁５２３から伸びるように形成される。また、第一溝６１の始点Ｐ１は、延長板５２の側壁５５１上に設定されてもよい。この場合、第一溝６１は、側壁５５１から端縁５２３を通過して伸びるように形成される。
【００４３】
次に、第二溝６２について、さらに説明する。
【００４４】
第二溝６２は、延長板５２の第一方向Ｄ１の端縁５２３に近接する始点Ｐ２から、延長板５２の第二方向Ｄ２の第二端縁５２５２に至るまで、連続する一本の線状に形成されている。始点Ｐ２は、始点Ｐ１に対して第二方向Ｄ２に距離をあけて位置する。
【００４５】
第二溝６２は、第二端縁５２５２を通過して、側壁５５３の下側に延長される部分５５３２に至るまで、連続して形成されている。
【００４６】
つまり、第二溝６２は、始点Ｐ２から第二端縁５２５２にまで伸びるように形成された溝部分６２１と、第二端縁５２５２から下方に伸びるように側壁５５３（部分５５３２）に形成された溝部分６２２を、一連に有する（図８等参照）。
【００４７】
溝部分６２１は、第一方向Ｄ１に沿って主体板５１に近づくほど第二端縁５２５２に近くなる傾きを有する一直線状の部分６２１３と、この部分６２１３の主体板５１に近い端部から第二方向Ｄ２に沿って第二端縁５２５２に向けて伸びる一直線状の部分６２１５を有する（図９参照）。溝部分６１１の場合と同様に、各部分６２１３，６２１５は一直線状であることが必須ではなく、複数の直線が連続する形状、曲線状、直線と曲線が連続的する形状等の、多様な形状を採用することが可能である。
【００４８】
第二溝６２の始点Ｐ２は、延長板５２の第一方向Ｄ１の端縁５２３上に設定されてもよい。この場合、第二溝６２は、延長板５２の端縁５２３から伸びるように形成される。また、第二溝６２の始点Ｐ２は、延長板５２の側壁５５１上に設定されてもよい。この場合、第二溝６２は、側壁５５１から端縁５２３を通過して伸びるように形成される。
【００４９】
次に、第一凸条８１について、さらに説明する。
【００５０】
図７等に示すように、第一溝６１に対して裏表の関係にある第一凸条８１は、延長板５２の第一方向Ｄ１の端縁５２３に近接する始点Ｐ１１から、延長板５２の第二方向Ｄ２の第一端縁５２５１に至るまで連続して形成され、さらに第一端縁５２５１を通過して、側壁５５２に至るまで連続して形成されている。
【００５１】
第一凸条８１は、第一溝６１と同様に一直線状の部分を有しているが、これらの部分が一直線状でなくてもよく、複数の直線が連続する形状、曲線状、直線と曲線が連続する形状等の、多様な形状が採用可能である。
【００５２】
次に、第二凸条８２について、さらに説明する。
【００５３】
第二溝６２に対して裏表の関係にある第二凸条８２は、延長板５２の第一方向Ｄ１の端縁５２３に近接する始点Ｐ１２から、延長板５２の第二方向Ｄ２の第二端縁５２５２に至るまで連続して形成され、さらに第二端縁５２５２を通過して、側壁５５３のうち下方に延長された部分５５３２に至るまで、連続して形成されている。
【００５４】
第二凸条８２と、側壁５５３のうち上方に延長された部分５５３１との間には、第二方向Ｄ２に距離が設けられている。
【００５５】
第二凸条８２は、第二溝６２と同様に一直線状の部分を有しているが、これらの部分が一直線状でなくてもよく、複数の直線が連続する形状、曲線状、直線と曲線が連続する形状等の、多様な形状が採用可能である。
【００５６】
一実施形態の加熱調理器は、上記構造の煮こぼれカバー５の主体板５１で電気機器４の上方を覆うので、煮こぼれが生じたときも電気機器４に煮汁が掛かることが抑えられ、かつ、煮こぼれカバー５の延長板５２でガス管７５の上方を覆うので、ガス管７５に煮汁が掛かることも抑えられる。加えて、収納ボックス７３から引き出されたハーネスに対して煮汁が掛かることも、煮こぼれカバー５によって抑えられる。
【００５７】
そして、一実施形態の加熱調理器によれば、煮汁が延長板５２の周縁から下面５２ｂにまで伝った場合でも、凹溝部６（第一溝６１と第二溝６２）の存在により、主体板５１の下面５１ｂにまで煮汁が伝うことは抑えられる。
【００５８】
たとえば、延長板５２の上面５２ａに垂れ落ちた煮汁が、端縁５２３と第一端縁５２５１の交差する角部分Ｂ１を通じて下面５２ｂに浸入した場合、その煮汁が主体板５１の下面５１ｂにまで伝うことは、第一溝６１の存在によって抑えられる（図８、図９参照）。第一溝６１に至った煮汁は、第一溝６１の縁を伝って下方に落とされる。
【００５９】
また、延長板５２の上面５２ａに垂れ落ちた煮汁が、端縁５２３と第二端縁５２５２の交差する角部分Ｂ２を通じて下面５２ｂに浸入した場合、その煮汁が主体板５１の下面５１ｂにまで伝うことは、第二溝６２の存在によって抑えられる。第二溝６２に至った煮汁は、第二溝６２の縁を伝って下方に落とされる。
【００６０】
また、延長板５２の上面５２ａに垂れ落ちた煮汁が、第二端縁５２５２から延長される側壁５５３のうち、上方に延長される部分５５３１と下方に延長される部分５５３２の間の隙間部分Ｂ３を通じて下面５２ｂに浸入した場合も、その煮汁が主体板５１の下面５１ｂにまで伝うことは、第二溝６２の存在によって抑えられる。
【００６１】
特に、一実施形態の加熱調理器では、中央のバーナーヘッド３１が延長板５２の上方に位置するが、中央のバーナーヘッド３１からの煮汁が延長板５２の上面５２ａに落ちても、その煮汁が延長板５２の下面５２ｂを伝って電気機器４に掛かることは、第一溝６１と第二溝６２の存在によって効果的に抑えられる。
【００６２】
（変形例）
図１０には、一実施形態の加熱調理器の変形例の要部を示している。
【００６３】
本変形例では、主体板５１の下面５１ｂと延長板５２の下面５２ｂの境界線（図中の仮想線）に沿って形成された一つの直線状の溝６５により、凹溝部６を構成している。溝６５の形状はこれに限定されず他の形状でもよいし、溝６５の数もこれに限定されず複数であってもよい。
【００６４】
つまり、延長板５２の周縁から浸入した煮汁が主体板５１の下面５１ｂにまで伝うことを抑える構造であれば、凹溝部６として多様な構造（直線、曲線等の多様な組み合わせ）が採用可能である。
【００６５】
（効果）
以上、添付図面に基づいて説明したように、一実施形態の加熱調理器は、第一の特徴として下記の構成を備える。
【００６６】
つまり、一実施形態の加熱調理器は、上面に開口１０を有する本体ケース１と、開口１０を覆う天板２と、上方に露出するように天板２に配置されたバーナーヘッド３１を有するバーナー３と、バーナー３での燃焼を制御するために本体ケース１に収納された電気機器４と、本体ケース１に収納された煮こぼれカバー５を備える。
【００６７】
煮こぼれカバー５は、電気機器４の上方を覆う主体板５１と、平面視において主体板５１から第一方向Ｄ１に延長された延長板５２を有する。延長板５２の下面５２ｂには、延長板５２の周縁から浸入した煮汁が主体板５１の下面５１ｂにまで伝うことを抑える凹溝部６が形成されている。
【００６８】
したがって、一実施形態の加熱調理器では、電気機器４が主体板５１により覆われることに加えて、延長板５２の下面５２ｂには、煮汁が伝うことを抑える凹溝部６が形成されていることで、電気機器４に煮汁が掛かることが効果的に抑えられている。
【００６９】
また、一実施形態の加熱調理器は、第二の特徴として、下記の構成を付加的に備える。つまり、一実施形態の加熱調理器において、凹溝部６は、延長板５２の下面５２ｂにおいて、第一方向Ｄ１と直交する第二方向Ｄ２の端縁５２５にまで至るように形成されている。
【００７０】
したがって、一実施形態の加熱調理器によれば、延長板５２の下面５２ｂに浸入した煮汁を、凹溝部６の縁を伝って延長板５２の端縁５２５にまで円滑に誘導することができる。
【００７１】
また、一実施形態の加熱調理器は、第三の特徴として、下記の構成を付加的に備える。つまり、一実施形態の加熱調理器において、凹溝部６は、第一方向Ｄ１と直交する第二方向Ｄ２の端縁５２５１にまで至るように形成された第一溝６１と、第二方向Ｄ２の端縁５２５１とは反対側の端縁５２５２にまで至るように形成された第二溝６２を含む。
【００７２】
したがって、一実施形態の加熱調理器によれば、第一溝６１に近い側から延長板５２の下面５２ｂに浸入した煮汁は、第一溝６１の縁を伝って延長板５２の端縁５２５１にまで円滑に誘導することができ、また、第二溝６２に近い側から延長板５２の下面５２ｂに浸入した煮汁は、第二溝６２の縁を伝って延長板５２の端縁５２５２にまで円滑に誘導することができる。
【００７３】
また、一実施形態の加熱調理器は、第四の特徴として、下記の構成を付加的に備える。つまり、一実施形態の加熱調理器において、第一溝６１と第二溝６２は、第一方向Ｄ１に沿って主体板５１に近づくほど互いの距離が遠くなるように形成されている。
【００７４】
したがって、一実施形態の加熱調理器によれば、ハ字状に形成された第一溝６１と第二溝６２にそれぞれ煮汁を伝わせて、端縁５２５１，５２５２にまで煮汁を効果的に誘導することができる。
【００７５】
また、一実施形態の加熱調理器は、第五の特徴として、下記の構成を付加的に備える。つまり、一実施形態の加熱調理器において、凹溝部６は、ビード加工により形成されている。
【００７６】
したがって、一実施形態の加熱調理器によれば、凹溝部６を形成することで煮こぼれカバー５の強度も向上させることができる。
【００７７】
また、一実施形態の加熱調理器は、第六の特徴として、下記の構成を付加的に備える。つまり、一実施形態の加熱調理器において、煮こぼれカバー５は、延長板５２の周縁から延長された周壁部５５をさらに有する。
【００７８】
したがって、一実施形態の加熱調理器によれば、延長板５２の下面５１ｂにまで煮汁が浸入することを周壁部５５で抑え、これにより、主体板５１の下面５１ｂにまで煮汁が伝うことをさらに効果的に抑えることができる。
【００７９】
また、一実施形態の加熱調理器は、第七の特徴として、下記の構成を付加的に備える。つまり、一実施形態の加熱調理器は、延長板５２の下方の領域を通じて配管され、バーナー３に対して燃焼ガスを供給するように構成されたガス管７５を、さらに備える。
【００８０】
したがって、一実施形態の加熱調理器によれば、電気機器４を覆うように構成された煮こぼれカバー５によって、ガス管７５に煮汁が掛かることも抑えることができる。
【００８１】
また、一実施形態の加熱調理器は、第八の特徴として、下記の構成を付加的に備える。つまり、一実施形態の加熱調理器において、延長板５２の下方の領域は、電気機器４に電気接続されるハーネスの配線空間の一部を構成している。
【００８２】
したがって、一実施形態の加熱調理器によれば、電気機器４を覆うように構成された煮こぼれカバー５によって、ハーネスに煮汁が掛かることも抑えることができる。
【００８３】
以上、加熱調理器について一実施形態に基づいて説明したが、加熱調理器は前記の形態に限定されず、適宜の設計変更を行うことや公知の技術を組み合わせることが可能である。
【符号の説明】
【００８４】
１  本体ケース
１０  開口
２  天板
３  バーナー
３１  バーナーヘッド
４  電気機器
５  煮こぼれカバー
５１  主体板
５１ｂ  下面
５２  延長板
５２ｂ  下面
５２３  一端縁
５２５  端縁
５２５１  第一端縁
５２５２  第二端縁
５５  周壁部
６  凹溝部
６１  第一溝
６２  第二溝
７５  ガス管
Ｄ１  第一方向
Ｄ２  第二方向
【図１】
2018105546.tif 000003
【図２】
2018105546.tif 000004
【図３】
2018105546.tif 000005
【図４】
2018105546.tif 000006
【図５】
2018105546.tif 000007
【図６】
2018105546.tif 000008
【図７】
2018105546.tif 000009
【図８】
2018105546.tif 000010
【図９】
2018105546.tif 000011
【図１０】
2018105546.tif 000012